(57)【要約】【課題】  貯湯タンクをその重量に耐え得るように支える。【解決手段】  金属製の円筒形状の内胴３と金属製の円筒形状の外胴４とからなり、該内外胴３，４間を真空断熱層としたタンク本体１と、該タンク本体１を支持する支持脚２とを備えた貯湯タンクにおいて、前記支持脚２の上端部を、前記内胴３に接合して、真空二重構造の断熱層を構成する外胴４ではなく内胴３で支えるようにしている。【選択図】        図１
2012021743.tif 000002
【特許請求の範囲】
【請求項１】
金属製の円筒形状の内胴と金属製の円筒形状の外胴とからなり、該内外胴間を真空断熱層としたタンク本体と、該タンク本体を支持する支持脚とを備えた貯湯タンクであって、前記支持脚の上端部を、前記内胴に接合したことを特徴とする貯湯タンク。
【請求項２】
金属製の円筒形状の内胴と金属製の円筒形状の外胴とからなり、該内外胴間を真空断熱層としたタンク本体と、該タンク本体をの底部を構成する下蓋と、前記タンク本体を支持する支持脚とを備えた貯湯タンクであって、前記支持脚の上端部を、前記内胴と下蓋とに接合したことを特徴とする貯湯タンク
【請求項３】
前記支持脚を、前記タンク本体および前記下蓋の側面に取り付けたことを特徴とする請求項２記載の貯湯タンク
【請求項４】
前記支持脚の上部には、前記外胴を配置したことを特徴とする請求項３記載の貯湯タンク。
【請求項５】
前記支持脚を、前記下蓋を貫通させたことを特徴とする請求項２記載の貯湯タンク。
【請求項６】
前記支持脚を複数の部材により構成したことを特徴とする請求項１，２，３，４および５のいずれか一項記載の貯湯タンク。
【発明の詳細な説明】
【技術分野】
【０００１】
本願発明は、貯湯タンクに関し、さらに詳しくは、真空二重構造の真空タンク電気炊飯器に関するものである。
【背景技術】
【０００２】
一般に、エコ給湯、電気温水器、燃料電池において貯湯用として用いられる貯湯タンクの容量は、３００〜３７０Ｌとされており、満水時には、３００〜５００ｋｇの重量となる。
【０００３】
上記した貯湯タンクとして、保温性を向上させる目的から、タンク本体を真空二重構造とすることが従来から知られている（例えば、特許文献１〜３参照）。
【先行技術文献】
【特許文献】
【０００４】
【特許文献１】特開２００６−２２６５９２号公報。
【０００５】
【特許文献２】特開２００８−２９２０５０号公報。
【０００６】
【特許文献３】特開２００４−１２４９２９号公報。
【発明の概要】
【発明が解決しようとする課題】
【０００７】
ところが、上記したように、貯湯タンクは、満水時には３００〜５００ｋｇの重量となるところから、貯湯タンクを真空二重構造とした場合、貯湯タンクを支える脚の構造に特別な工夫を凝らす必要がある。
【０００８】
この出願の発明は、このような事情に基づいてなされたもので、貯湯タンクをその重量に耐え得るように支えることを目的とする。
【課題を解決するための手段】
【０００９】
本願発明では、上記課題を解決するための第１の手段として、金属製の円筒形状の内胴と金属製の円筒形状の外胴とからなり、該内外胴間を真空断熱層としたタンク本体と、該タンク本体を支持する支持脚とを備えた貯湯タンクにおいて、前記支持脚の上端部を、前記内胴に接合している。
【００１０】
上記のように構成したことにより、タンク本体を支持するための脚を真空二重構造の断熱層を構成する外胴に接合した場合、タンク本体の荷重に耐えられず、外胴が変形を起こして内胴と接触して断熱性が損なわれる可能性があるが、真空二重構造の断熱層を構成する外胴ではなく内胴で支えることとなるところから、断熱性を維持しつつ、タンク本体の荷重を確実に支持することができる。
【００１１】
本願発明では、上記課題を解決するための第２の手段として、金属製の円筒形状の内胴と金属製の円筒形状の外胴とからなり、該内外胴間を真空断熱層としたタンク本体と、該タンク本体をの底部を構成する下蓋と、前記タンク本体を支持する支持脚とを備えた貯湯タンクにおいて、前記支持脚の上端部を、前記内胴と下蓋とに接合している。
【００１２】
上記のように構成したことにより、タンク本体を支持するための脚を真空二重構造の断熱層を構成する外胴に接合した場合、タンク本体の荷重に耐えられず、外胴が変形を起こして内胴と接触して断熱性が損なわれる可能性があるが、真空二重構造の断熱層を構成する外胴ではなく内胴と下蓋で支えることとなるところから、断熱性を維持しつつ、タンク本体の荷重を確実に支持することができる。
【００１３】
本願発明では、さらに、上記課題を解決するための第３の手段として、上記第２の手段を備えた貯湯タンクにおいて、前記支持脚を、前記タンク本体および前記下蓋の側面に取り付けることもでき、そのように構成した場合、貯湯タンクの構造上の利点（断熱性の維持）を損なうことなく、貯湯タンクを確実に支持することができる。
【００１４】
本願発明では、さらに、上記課題を解決するための第４の手段として、上記第３の手段を備えた貯湯タンクにおいて、前記支持脚の上部に、前記外胴を配置することもでき、そのように構成した場合、外胴には貯湯タンクの荷重がかからなくなり、貯湯タンクの構造上の利点（断熱性の維持）を損なうことなく、貯湯タンクをより確実に支持することができる。
【００１５】
本願発明では、さらに、上記課題を解決するための第５の手段として、上記第２の手段を備えた貯湯タンクにおいて、前記支持脚を、前記下蓋を貫通させることもでき、そのように構成した場合、貯湯タンクの荷重によって下蓋が変形することがなくなる。
【００１６】
本願発明では、さらに、上記課題を解決するための第６の手段として、上記第１、第２、第３、第４又は第５の手段を備えた貯湯タンクにおいて、前記支持脚を複数の部材により構成することもでき、そのように構成した場合、支持脚の構造を目的に合わせて適宜変更できることとなり、設計の自由度を確保することができる。
【発明の効果】
【００１７】
本願発明の第１の手段によれば、金属製の円筒形状の内胴と金属製の円筒形状の外胴とからなり、該内外胴間を真空断熱層としたタンク本体と、該タンク本体を支持する支持脚とを備えた貯湯タンクにおいて、前記支持脚の上端部を、前記内胴に接合して、真空二重構造の断熱層を構成する外胴ではなく内胴で支えるようにしたので、タンク本体を支持するための支持脚を真空二重構造の断熱層を構成する外胴に接合した場合、タンク本体の荷重に耐えられず、外胴が変形を起こして内胴と接触して断熱性が損なわれる可能性があるが、外胴が変形することがなくなって、断熱性を維持しつつ、タンク本体の荷重を確実に支持することができるという効果がある。
【００１８】
本願発明の第２の手段によれば、金属製の円筒形状の内胴と金属製の円筒形状の外胴とからなり、該内外胴間を真空断熱層としたタンク本体と、該タンク本体の底部を構成する下蓋と、前記タンク本体を支持する支持脚とを備えた貯湯タンクにおいて、前記支持脚の上端部を、前記内胴と前記下蓋とに接合して、真空二重構造の断熱層を構成する外胴ではなく内胴と下蓋とで支えるようにしたので、タンク本体を支持するための脚を真空二重構造の断熱層を構成する外胴に接合した場合、タンク本体の荷重に耐えられず、外胴が変形を起こして内胴と接触して断熱性が損なわれる可能性があるが、外胴が変形することがなく、断熱性を維持しつつ、タンク本体の荷重を確実に支持することができるという効果がある。
【００１９】
本願発明の第３の手段におけるように、上記第２の手段を備えた貯湯タンクにおいて、前記支持脚を、前記タンク本体および前記下蓋の側面に取り付けることもでき、そのように構成した場合、貯湯タンクの構造上の利点（断熱性の維持）を損なうことなく、貯湯タンクを確実に支持することができる。
【００２０】
本願発明の第４の手段におけるように、上記第３の手段を備えた貯湯タンクにおいて、前記支持脚の上部に、前記外胴を配置することもでき、そのように構成した場合、外胴には貯湯タンクの荷重がかからなくなり、貯湯タンクの構造上の利点（断熱性の維持）を損なうことなく、貯湯タンクをより確実に支持することができる。
【００２１】
本願発明の第５の手段におけるように、上記第２の手段を備えた貯湯タンクにおいて、前記支持脚を、前記下蓋を貫通させることもでき、そのように構成した場合、貯湯タンクの荷重によって下蓋が変形することがなくなる。
【００２２】
本願発明の第６の手段におけるように、上記第１又は第２の手段を備えた貯湯タンクにおいて、前記支持脚を複数の部材により構成することもでき、そのように構成した場合、支持脚の構造を目的に合わせて適宜変更できることとなり、設計の自由度を確保することができる。
【図面の簡単な説明】
【００２３】
【図１】本願発明の第１の実施の形態にかかる貯湯タンクの縦断面図である。
【図２】本願発明の第２の実施の形態にかかる貯湯タンクの縦断面図である。
【図３】本願発明の第３の実施の形態にかかる貯湯タンクの縦断面図である。
【図４】本願発明の第４の実施の形態にかかる貯湯タンクの縦断面図である。
【図５】本願発明の第５の実施の形態にかかる貯湯タンクの縦断面図である。
【図６】本願発明の第６の実施の形態にかかる貯湯タンクの縦断面図である。
【図７】本願発明の第７の実施の形態にかかる貯湯タンクの縦断面図である。
【発明を実施するための形態】
【００２４】
以下、添付の図面を参照して、本願発明の幾つかの好適な実施の形態について説明する。
【００２５】
第１の実施の形態
図１には、本願発明の第１の実施の形態にかかる貯湯タンクが示されている。
【００２６】
この貯湯タンクは、金属製の円筒形状の内胴３と金属製の円筒形状の外胴４とからなり、該内外胴３，４間を真空断熱層としたタンク本体１と、該タンク本体１を支持する複数（本実施の形態では、３本）の支持脚２，２，２とを備えて構成されている。
【００２７】
前記タンク本体１の底部を構成する下蓋５は、前記タンク本体１と一体に接合（ＴＩＧ溶接）される一方、前記タンク本体１の上部を構成する上蓋６は、前記タンク本体１と一体に接合（ＴＩＧ）されている。従って、前記下蓋５および前記上蓋６の内部も、真空断熱層とされている。つまり、前記下蓋５の内面を構成する内下蓋５ａは、前記内胴３と一体とされる一方、前記上蓋６の内面を構成する内上蓋６ａは、前記内胴３と一体とされているのである。
【００２８】
前記下蓋５および上蓋６の中央部には、水の入口となる入口パイプ７およびお湯の出口となる出口パイプ８がそれぞれ取り付けられている。つまり、入口パイプ７と出口パイプ８とは、貯湯タンクの芯だしとなるのである。この入口パイプ７および出口パイプ８は、前記下蓋５（即ち、下蓋５の内外下蓋５ａ，５ｂ）および前記上蓋６（即ち、上蓋６の内外上蓋６ａ，６ｂ）を貫通した状態で接合（ＴＩＧ溶接）されている。このようにすると、内胴３と外胴４との間隔（即ち、真空断熱層）が確保されることとなり、両者が接触することによる断熱不良を防止することができる。
【００２９】
そして、前記各支持脚２は、前記下蓋５における外胴４を貫通しており、その上端部は、前記下蓋５における内胴３に接合（ＴＩＧ溶接）されている。なお、各支持脚２と外胴４とも、ＴＩＧ溶接により接合されている。なお、本実施の形態においては、前記各支持脚２の内部も真空断熱層とされている。このようにすると、貯湯タンクの断熱性が確実さに保持される。
【００３０】
なお、本実施の形態においては、前記タンク本体１を構成する外胴４には、外方へのリブ加工が施されている。このようにすると、タンク本体１の上下寸法（外胴４の上下寸法）が長くなった場合であっても、寸法が安定する。
【００３１】
上記のように構成したことにより、タンク本体１を支持するための支持脚２，２，２を真空二重構造の断熱層を構成する外胴４に接合した場合、タンク本体１の荷重に耐えられず、外胴４が変形を起こして内胴３と接触して断熱性が損なわれる可能性があるが、真空二重構造の断熱層を構成する外胴４ではなく内胴３で支えることとなるところから、断熱性を維持しつつ、タンク本体１の荷重を確実に支持することができる。
【００３２】
第２の実施の形態
図２には、本願発明の第２の実施の形態にかかる貯湯タンクが示されている。
【００３３】
この場合、各支持脚２の下端には、脚台９が嵌合固定されている。このようにすると、支持脚２側からの熱の逃げを防止できることとなり、断熱性をより一層確保することができる。また、脚台９によって支持脚２の荷重支持力が増大することとなり、貯湯タンクの荷重保持がより確実となる。
【００３４】
その他の構成および作用効果は、第１の実施の形態におけると同様なので、説明を省略する。
【００３５】
第３の実施の形態
図３には、本願発明の第３の実施の形態にかかる貯湯タンクが示されている。
【００３６】
この場合、タンク本体１の真空断熱層と下蓋５の真空断熱層とは別構成とされている。つまり、前記タンク本体１の下部側面と前記下蓋５の上部側面とは、ともに内胴３のみからなる接合部３ａとされており、該接合部３ａには、環状の支持脚２が接合（ＴＩＧ溶接）されている。つまり、支持脚２は、前記タンク本体１（即ち、タンク本体１を構成する内胴３）および前記下蓋５（即ち、下蓋５を構成する内下蓋５ａ）の側面に跨がって取り付けられているのである。このようにすると、貯湯タンクの構造上の利点（断熱性の維持）を損なうことなく、貯湯タンクを確実に支持することができる。この場合、支持脚２の上部には、タンク本体１を構成する外胴４が配置されることとなる。このようにするとする、タンク本体１を構成する外胴４には貯湯タンクの荷重がかからなくなり、貯湯タンクの構造上の利点（断熱性の維持）を損なうことなく、貯湯タンクをより確実に支持することができる。
【００３７】
その他の構成および作用効果は、第１の実施の形態におけると同様なので、説明を省略する。
【００３８】
第４の実施の形態
図４には、本願発明の第４の実施の形態にかかる貯湯タンクが示されている。
【００３９】
この場合、タンク本体１の真空断熱層と下蓋５の真空断熱層とは別構成とされている。つまり、前記タンク本体１の下部側面と前記下蓋５の上部側面とは、ともに内胴３のみからなる接合部３ａとされており、該接合部３ａには、環状の支持脚２が接合（ＴＩＧ溶接）されている。また、本実施の形態においては、前記支持脚２は、前記接合部３ａに接合（ＴＩＧ溶接）され且つ内部が真空断熱層されている上部支持脚２ａと、該上部支持脚２ａの下端に対して断熱材１０を介して取り付けられた環状の下部支持脚２ｂとからなっている。つまり、支持脚２は、前記タンク本体１（即ち、タンク本体１を構成する内胴３）および前記下蓋５（即ち、下蓋５を構成する内下蓋５ａ）の側面に跨がって取り付けられているのである。この場合、支持脚２の上部には、タンク本体１を構成する外胴４が配置されることとなる。このようにするとする、タンク本体１を構成する外胴４には貯湯タンクの荷重がかからなくなり、貯湯タンクの構造上の利点（断熱性の維持）を損なうことなく、貯湯タンクをより確実に支持することができる。
【００４０】
上記のように構成すると、接合部３ａの外側が真空断熱層からなる上部支持脚２ａに覆われることとなり、接合部３ａからの放熱が可及的に防止されるとともに、上部支持脚２ａから下部支持脚２ｂへの伝熱が断熱材１０の介在により防止されることとなる。従って、貯湯タンクの構造上の利点（断熱性の維持）を損なうことなく、貯湯タンクを確実に支持することができる。
【００４１】
その他の構成および作用効果は、第１の実施の形態におけると同様なので、説明を省略する。
【００４２】
第５の実施の形態
図５には、本願発明の第５の実施の形態にかかる貯湯タンクが示されている。
【００４３】
この場合、タンク本体１の真空断熱層と下蓋５の真空断熱層とは別構成とされている。つまり、前記タンク本体１の下部側面と前記下蓋５の上部側面とは、ともに内胴３のみからなる接合部３ａとされており、該接合部３ａには、複数（例えば、３本）の支持脚２，２，２が接合（ＴＩＧ溶接）されている。また、本実施の形態においては、前記各支持脚２は、前記接合部３ａに接合（ＴＩＧ溶接）され且つ内部が真空断熱層されている上部支持脚２ａと、該上部支持脚２ａの下端に対して取り付けられた環状の下部支持脚２ｂとからなっており、前記上部支持脚２ａの外周面は、前記接合部３ａからの熱ロスを抑えるために吹付断熱材１１で覆われている。つまり、支持脚２は、前記タンク本体１（即ち、タンク本体１を構成する内胴３）および前記下蓋５（即ち、下蓋５を構成する内下蓋５ａ）の側面に跨がって取り付けられているのである。この場合、支持脚２の上部には、タンク本体１を構成する外胴４が配置されることとなる。このようにするとする、タンク本体１を構成する外胴４には貯湯タンクの荷重がかからなくなり、貯湯タンクの構造上の利点（断熱性の維持）を損なうことなく、貯湯タンクをより確実に支持することができる。
【００４４】
上記のように構成すると、接合部３ａの外側が真空断熱層からなる上部支持脚２ａに覆われ且つ該上部支持脚２ａが吹付断熱材１１で覆われることとなり、接合部３ａからの放熱が可及的に防止されるとともに、上部支持脚２ａから下部支持脚２ｂへの伝熱も吹付断熱材１１の介在により防止されることとなる。従って、貯湯タンクの構造上の利点（断熱性の維持）を損なうことなく、貯湯タンクを確実に支持することができる。
【００４５】
その他の構成および作用効果は、第１の実施の形態におけると同様なので、説明を省略する。
【００４６】
第６の実施の形態
図６には、本願発明の第６の実施の形態にかかる貯湯タンクが示されている。
【００４７】
この場合、タンク本体１の真空断熱層と下蓋５の真空断熱層とは別構成とされている。つまり、前記タンク本体１の下部側面と前記下蓋５の上部側面とは、ともに内胴３のみからなる接合部３ａとされており、該接合部３ａには、環状の支持脚２が接合（ＴＩＧ溶接）されている。また、本実施の形態においては、前記支持脚２は、前記接合部３ａに接合（ＴＩＧ溶接）され且つ内部が真空断熱層されている上部支持脚２ａと、該上部支持脚２ａの下端に対して取り付けられた環状の下部支持脚２ｂとからなっており、前記上部支持脚２ａの外周側には、前記接合部３ａからの熱ロスを抑えるために断熱カバー１２が取り付けられている。該断熱カバー１２は、断面コ字状とされており、前記外胴４の下端部外周面に対して上端１２ａが取り付けられるとともに、下端１２ｂが前記上部支持脚２ａと前記下部支持脚２ｂとの間に挟持されることにより取り付けられている。従って、断熱カバー上端１２ａと上部支持脚２ａの上端との間には、放熱を遮断し得る空気層Ａが形成されることとなっている。上記したように、支持脚２は、前記タンク本体１（即ち、タンク本体１を構成する内胴３）および前記下蓋５（即ち、下蓋５を構成する内下蓋５ａ）の側面に跨がって取り付けられているのである。この場合、支持脚２の上部には、タンク本体１を構成する外胴４が配置されることとなる。このようにするとする、タンク本体１を構成する外胴４には貯湯タンクの荷重がかからなくなり、貯湯タンクの構造上の利点（断熱性の維持）を損なうことなく、貯湯タンクをより確実に支持することができる。
【００４８】
上記のように構成すると、接合部３ａの外側が真空断熱層からなる上部支持脚２ａに覆われ且つ該上部支持脚２ａが断熱カバー１２で覆われるとともに、断熱カバー上端１２ａと上部支持脚２ａの上端との間に空気層Ａが形成されることとなり、接合部３ａから上部支持脚２ａを介しての放熱が可及的に防止されるとともに、上部支持脚２ａから下部支持脚２ｂへの伝熱も断熱材カバー１２の介在により防止されることとなる。従って、貯湯タンクの構造上の利点（断熱性の維持）を損なうことなく、貯湯タンクを確実に支持することができる。
【００４９】
その他の構成および作用効果は、第１の実施の形態におけると同様なので、説明を省略する。
【００５０】
第７の実施の形態
図７には、本願発明の第７の実施の形態にかかる貯湯タンクが示されている。
【００５１】
この場合、タンク本体１および上蓋６は、真空断熱層を有しているが、下蓋５は真空断熱層を有していない。そして、前記タンク本体１の下部側面と前記下蓋５の側面とは、ともに内胴３のみからなる接合部３ａとされており、該接合部３ａには、複数（例えば、３本）の支持脚２，２，２が接合（ＴＩＧ溶接）されている。また、本実施の形態においては、前記各支持脚２の内部は、真空断熱層されている。上記したように、支持脚２は、前記タンク本体１（即ち、タンク本体１を構成する内胴３）および前記下蓋５（即ち、下蓋５を構成する内下蓋５ａ）の側面に跨がって取り付けられているのである。さらに、この場合、各支持脚２の上部には、タンク本体１を構成する外胴４が配置されることとなる。このようにするとする、タンク本体１を構成する外胴４には貯湯タンクの荷重がかからなくなり、貯湯タンクの構造上の利点（断熱性の維持）を損なうことなく、貯湯タンクをより確実に支持することができる。なお、本実施の形態においては、入口パイプおよび出口パイプは、図示省略されている。
【００５２】
その他の構成および作用効果は、第１の実施の形態におけると同様なので、説明を省略する。
【００５３】
本願発明は、上記各実施の形態に限定されるものではなく、発明の要旨を逸脱しない範囲において適宜設計変更可能なことは勿論である。
【符号の説明】
【００５４】
１はタンク本体
２は支持脚
３は内胴
４は外胴
５は下蓋
【図１】
2012021743.tif 000003
【図２】
2012021743.tif 000004
【図３】
2012021743.tif 000005
【図４】
2012021743.tif 000006
【図５】
2012021743.tif 000007
【図６】
2012021743.tif 000008
【図７】
2012021743.tif 000009